(57)【要約】【課題】ユーザが複数の画像情報の最終ページの状態を確認することができ、印刷に不要な画像情報を削除することができるようにする。【解決手段】本発明は、複数ページの画像情報の最終ページのイメージ状態を表示部に表示する最終ページ状態表示手段と、最終ページを削除するか否かの選択情報を取り込む最終ページ削除選択手段と、最終ページ削除選択手段により最終ページを削除する旨の選択情報を受け取ると、複数ページの画像情報から最終ページの画像情報を削除して出力情報を生成する出力情報生成手段とを備えることを特徴とする画像処理装置である。【選択図】      図１
2013122650.tif 000002
【特許請求の範囲】
【請求項１】
複数ページの画像情報の最終ページのイメージ状態を表示部に表示する最終ページ状態表示手段と、
前記最終ページを削除するか否かの選択情報を取り込む最終ページ削除選択手段と、
前記最終ページ削除選択手段により前記最終ページを削除する旨の選択情報を受け取ると、前記複数ページの画像情報から前記最終ページの画像情報を削除して出力情報を生成する出力情報生成手段と
を備えることを特徴とする画像処理装置。
【請求項２】
出力情報のページ数が前記画像情報のページ数よりも少なくなるように前記画像情報の割付編集処理を行なう割付編集処理手段と、
前記割付編集処理に係る設定情報を取り込む割付編集設定手段と
を更に備え、
前記最終ページ状態表示手段が、前記画像情報のページ数情報と、前記割付編集処理に係る設定情報とに基づいて、割付編集をした前記最終ページのイメージ状態を表示部に表示するものである
ことを特徴とする請求項１に記載の画像処理装置。
【請求項３】
前記画像情報を作成する画像情報作成手段を備え、
前記画像情報のページ数情報が、前記画像情報作成手段により作成された前記画像情報のページ数情報であることを特徴とする請求項１又は２に記載の画像処理装置。
【請求項４】
前記画像情報のページ数情報が、ユーザ操作により入力されたものであることを特徴とする請求項１又は２に記載の画像処理装置。
【請求項５】
搬送された複数の記録媒体に記録されている画像を読み取る画像読取手段を備え、
前記画像情報のページ数情報が、前記画像読取手段に搬送される前記記録媒体の枚数であることを特徴とする請求項１又は２に記載の画像処理装置。
【請求項６】
最終ページ状態表示手段が、複数ページの画像情報の最終ページのイメージ状態を表示部に表示する最終ページ状態表示工程と、
最終ページ削除選択手段が、前記最終ページを削除するか否かの選択情報を取り込む最終ページ削除選択工程と、
出力情報生成手段が、前記最終ページ削除選択手段により前記最終ページを削除する旨の選択情報を受け取ると、前記複数ページの画像情報から前記最終ページの画像情報を削除して出力情報を生成する出力情報生成工程と
を有することを特徴とする画像処理方法。
【請求項７】
コンピュータを、
複数ページの画像情報の最終ページのイメージ状態を表示部に表示する最終ページ状態表示手段、
前記最終ページを削除するか否かの選択情報を取り込む最終ページ削除選択手段、
前記最終ページ削除選択手段により前記最終ページを削除する旨の選択情報を受け取ると、前記複数ページの画像情報から前記最終ページの画像情報を削除して出力情報を生成する出力情報生成手段
として機能させることを特徴とする画像処理プログラム。
【発明の詳細な説明】
【技術分野】
【０００１】
本発明は、画像処理装置、画像処理方法及び画像処理プログラムに関するものである。例えば、本発明は、入力された複数の画像情報に対して画像処理を行なう画像処理装置、画像処理方法及び画像処理プログラムに適用し得るものである。
【背景技術】
【０００２】
従来、１枚の用紙に複数ページ分の画像を印刷する技術として特許文献１に記載される技術がある。
【０００３】
特許文献１の記載技術は、例えば１枚の用紙に２ページ分の画像を印刷する２ｕｐ設定を利用する場合に、印刷しようとする画像が３ページ分あるとき、最終ページに生じる余白をなくす技術である。
【０００４】
具体的には、特許文献１の記載技術は、指定された複数のページ分の画像情報を１／ｎに縮小し、この１／ｎの画像情報を待ち行列に保持し、１／ｎの画像情報を連結して１つの文書情報とするものである。
【０００５】
ところで、画像形成装置は、例えば、ホームページからダウンロードしたマニュアル等の文書情報を印刷する場合がある。この場合、この文書情報の最終ページ又は最終ページから数ページ以降のページには、例えば、索引情報や企業広告等のように、ユーザが実際に印刷対象としない不要な情報込みで印刷を行っていた。
【先行技術文献】
【特許文献】
【０００６】
【特許文献１】特開２００１−７８０１８号公報
【発明の概要】
【発明が解決しようとする課題】
【０００７】
従来の画像形成装置は、無条件で印刷指示がなされると、印刷に必要のない情報を含めて全ての文書情報を印刷することになる。このことは、印刷枚数を増やすことになり、用紙の無駄を招くことにもなる。
【０００８】
また、印刷前にユーザが不要な情報か否かを確認し、不要な情報の場合には、ユーザが不要な情報の印刷をキャンセルすることも考えられる。しかし、ユーザが１枚の用紙に複数のページ分の画像情報を割付ける割付編集を利用する場合には、ユーザによる確認及び操作は複雑となり、ユーザは不便をきたす。
【０００９】
そのため、ユーザが複数の画像情報の最終ページの状態を確認することができ、印刷に不要な画像情報を削除することができる画像処理装置、画像処理方法及び画像処理プログラムが強く求められている。
【課題を解決するための手段】
【００１０】
かかる課題を解決するために、第１の本発明は、（１）複数ページの画像情報の最終ページのイメージ状態を表示部に表示する最終ページ状態表示手段と、（２）最終ページを削除するか否かの選択情報を取り込む最終ページ削除選択手段と、（３）最終ページ削除選択手段により最終ページを削除する旨の選択情報を受け取ると、複数ページの画像情報から最終ページの画像情報を削除して出力情報を生成する出力情報生成手段とを備えることを特徴とする画像処理装置である。
【００１１】
第２の本発明は、（１）最終ページ状態表示手段が、複数ページの画像情報の最終ページのイメージ状態を表示部に表示する最終ページ状態表示工程と、（２）最終ページ削除選択手段が、最終ページを削除するか否かの選択情報を取り込む最終ページ削除選択工程と、（３）出力情報生成手段が、最終ページ削除選択手段により最終ページを削除する旨の選択情報を受け取ると、複数ページの画像情報から最終ページの画像情報を削除して出力情報を生成する出力情報生成工程とを有することを特徴とする画像処理方法である。
【００１２】
第３の本発明は、コンピュータを、（１）複数ページの画像情報の最終ページのイメージ状態を表示部に表示する最終ページ状態表示手段、（２）最終ページを削除するか否かの選択情報を取り込む最終ページ削除選択手段、（３）最終ページ削除選択手段により最終ページを削除する旨の選択情報を受け取ると、複数ページの画像情報から最終ページの画像情報を削除して出力情報を生成する出力情報生成手段として機能させることを特徴とする画像処理プログラムである。
【発明の効果】
【００１３】
本発明によれば、ユーザが複数の画像情報の最終ページの状態を確認することができ、印刷に不要な画像情報を削除することができる。
【図面の簡単な説明】
【００１４】
【図１】第１の実施形態に係る画像処理装置の内部構成及び画像処理装置の周辺構成を示すブロック図である。
【図２】第１の実施形態のプリンタドライバ部の機能を示す機能ブロック図である。
【図３】第１の実施形態のアプリケーション部が作成した画像情報を説明する説明図である。
【図４】第１の実施形態のＮ−Ｕｐ機能、Ｄｕｐｌｅｘ機能を利用したときの印刷結果を説明する説明図である。
【図５】第１の実施形態の割付編集機能の設定を行なう設定画面の一例を説明する説明図である。
【図６】第１の実施形態の割付配置テーブルの構成を説明する説明図である。
【図７】第１の実施形態の割付編集機能が設定開始された場合の画像処理装置における画像処理方法の動作を示すフローチャートである。
【図８】第２の実施形態の画像読み取り装置の概ねの構成を示す構成図である。
【図９】第２の実施形態のスキャナの外観を示す外観斜視図である（その１）。
【図１０】第２の実施形態のスキャナの外観を示す外観斜視図である（その２）。
【図１１】第２の実施形態のスキャナの左側部からスキャナの内部を透視して見たときの、ＡＤＦユニットの内部構成を示す内部構成図である。
【図１２】第２の実施形態のスキャナが備える画像処理装置の機能を説明するブロック図である。
【図１３】第２の実施形態のＧＵＩ部の機能を示す機能ブロック図である。
【図１４】第２の実施形態のＧＵＩ部の設定入力画面の第１例を説明する説明図である（その１）。
【図１５】第２の実施形態のＧＵＩ部の設定入力画面の第１例を説明する説明図である（その２）。
【図１６】第２の実施形態のＧＵＩ部の設定入力画面の第２例を説明する説明図である（その１）。
【図１７】第２の実施形態のＧＵＩ部の設定入力画面の第２例を説明する説明図である（その２）。
【図１８】第２の実施形態の割付編集機能が設定開始された場合の画像処理装置における画像処理方法の動作を示すフローチャートである。
【発明を実施するための形態】
【００１５】
（Ａ）第１の実施形態
以下では、本発明の画像処理装置、画像処理方法及び画像処理プログラムの第１の実施形態を、図面を参照しながら詳細に説明する。
【００１６】
第１の実施形態は、画像情報に基づいて印刷データを生成する画像処理装置に本発明を適用する場合の実施形態を例示する。
【００１７】
（Ａ−１）第１の実施形態の構成
（Ａ−１−１）全体構成
図１は、第１の実施形態に係る画像処理装置の内部構成及び画像処理装置の周辺構成を示すブロック図である。
【００１８】
図１において、第１の実施形態の画像処理装置１００は、例えばパーソナルコンピュータ（ＰＣ）上において、いわゆるソフトウェア処理により実行されるものである。
【００１９】
ここで、パーソナルコンピュータ（ＯＳ）は、ハードウェアとして、例えば、ＣＰＵ、ＲＡＭ等の揮発性記憶手段、ＲＯＭ、ＥＥＰＲＯＭ、ハードディスク等の不揮発性記憶手段等を有して構成されるものである。また、画像処理装置１００の機能は、例えば、ＣＰＵが、ＲＯＭに格納されている固定データやＲＡＭに格納されているテンポラリデータを用いて、ＲＯＭに格納されている処理プログラムを実行することで実現される。
【００２０】
画像処理装置１００は、ネットワーク１２０と接続するものであり、ネットワーク１２０を介して、印刷対象とする文書等の文書情報を取得することができるものである。
【００２１】
また、画像処理装置１００は、印刷設定画面をディスプレイ装置１０７に表示させ、例えばキーボードやマウス等の入力装置１０６からの入力情報に基づいて各種印刷設定を行ない、各種印刷設定の条件に応じた印刷データを生成するものである。また、画像処理装置１００は、生成した印刷データを画像形成装置に与えるものである。
【００２２】
ここで、画像形成装置とは、例えば、プリンタ、マルチファンクションペリフェラル（以下、ＭＦＰと称する）等であり、画像処理装置１００からの印刷データに基づいて、用紙などの印刷媒体に印刷画像を形成するものである。
【００２３】
図１に示すように、画像処理装置１００は、ハードディスク１０１、アプリケーション部１０２、オペレーティングシステム１０３、プリンタドライバ部１０４、通信部１０５を有する。
【００２４】
ハードディスク１０１は、後述するアプリケーション部１０２が作成した画像情報や、プリンタドライバ部１０４の設定情報等を記憶するものである。
【００２５】
オペレーションシステム１０３は、画像処理装置１００の全体機能を司る制御部である。オペレーションシステム１０３は、アプリケーション部１０２やプリンタドライバ部１０４等のソフトウェアプログラムの実行、ハードディスク１０１へのデータの書き込み処理及び書き出し処理を行なうものである。また、オペレーションシステム１０３は、ハードディスク１０１に記憶されている画像情報を、通信部１０５を経由して画像形成装置等の外部出力装置に送信したり、ディスプレイ装置１０７及び入力装置１０６等の外部入力装置を制御したりするものである。
【００２６】
アプリケーション部１０２は、画像情報を作成する画像作成手段である。アプリケーション部１０２は、例えば、文書やイメージ等の画像情報の作成や印刷等を行なうソフトウェアプログラムが該当する。アプリケーション部１０２は、入力装置１０６から印刷実行指示を受けると、印刷を実行する画像形成装置（例えば、プリンタ、ＭＦＰ等）に関する情報を、プリンタドライバ部１０４に通知すると共に、プリンタドライバ部１０４に印刷ジョブを与えるものである。
【００２７】
通信部１０５は、ネットワーク１２０と接続して、文書等の文書情報を取得したり、又はオペレーティングシステム１０３の制御の下、アプリケーション部１０２により作成された画像情報を画像形成装置に与えたりするものである。
【００２８】
プリンタドライバ部１０４は、アプリケーション部１０２により作成された画像情報（すなわち印刷元データ）を印刷するための設定や制御を行なうソフトウェアプログラムである。プリンタドライバ部１０４は、例えば、印刷設定画面をディスプレイ装置１０７に表示させ、入力装置１０６からのユーザ入力情報に基づいて、各種印刷設定を行なうものである。
【００２９】
（Ａ−１−２）プリンタドライバ部１０４の機能構成
図２は、プリンタドライバ部１０４の機能を示す機能ブロック図である。図２において、プリンタドライバ部１０４は、設定部１３０、検知部１３１、表示部１３２、変換部１０４を有する。
【００３０】
設定部１３０は、入力装置１０６からの入力情報に基づいて、各種印刷条件の設定を行なうものである。例えば、設定部１３０は、ディスプレイ装置１０７に表示されている印刷設定画面を通じて入力情報を取得する。また、設定部１３０の設定可能な印刷条件は、既存のプリンタドライバと同様のものであり、例えば、印刷枚数、印刷サイズ、画像形成装置の選択等がある。
【００３１】
また、設定部１３０は、印刷物の枚数が印刷対象とする画像情報のページ数よりも少なくなるように、１枚の印刷媒体に複数の画像情報を割付け編集する割付編集処理機能を有する。
【００３２】
ここで、割付編集機能は、複数ページの画像情報を１枚の用紙媒体に割付けることができれば、種々の編集機能を広く適用することができる。第１の実施形態では、割付編集機能の一例として、設定部１３０がＮ−Ｕｐ機能とＤｕｐｌｅｘ機能を有する場合を例示する。
【００３３】
Ｎ−Ｕｐ機能とは、１枚の印刷媒体の一面に複数のページ分の画像情報を割り付ける機能をいう。また、Ｄｕｐｌｅｘ機能とは、１枚の印刷媒体の裏と表の両面に画像情報を印刷する両面印刷機能をいう。
【００３４】
設定部１３０は、割付編集機能を設定する割付編集設定手段として、Ｎ−Ｕｐ機能設定部１３０１と、Ｄｕｐｌｅｘ機能設定部１３０２とを有する。
【００３５】
Ｎ−Ｕｐ機能設定部１３０１は、入力装置１０６からの入力情報に基づいて、Ｎ−Ｕｐ機能のパラメータを設定するものである。また、Ｄｕｐｌｅｘ機能設定部１３０２は、入力装置１０６からの入力情報に基づいて、Ｄｕｐｌｅｘ機能のパラメータを設定するものである。
【００３６】
ここで、Ｎ−Ｕｐ機能設定部１３０１及びＤｕｐｌｅｘ機能設定部１３０２が設定可能なパラメータ（設定値）及び機能について、図３及び図４を用いて説明する。
【００３７】
図３は、アプリケーション部１０２が作成した画像情報を説明する説明図である。
【００３８】
図３では、例えば、画像情報のデータ方向が「ポートレイト（縦置き）」であり、画像情報のページ数が「９ページ」である画像情報を、アプリケーション部１０２が作成した場合を例示する。
【００３９】
この場合、図３の画像情報１５０に示すように、アプリケーション部１０２は、データ方向を「ポートレイト」とする９ページ分の画像情報を作成する。なお、例えば、図３に示す第１ページ目の四角の中に表記されている「１」という文字は、「１」という画像であることを示している。
【００４０】
次に、アプリケーション部１０２が図３の画像情報１５０を作成した場合に、Ｎ−Ｕｐ機能、Ｄｕｐｌｅｘ機能のいずれか又は両方が設定されたときの印刷結果を説明する。
【００４１】
図４は、Ｎ−Ｕｐ機能、Ｄｕｐｌｅｘ機能を利用してアプリケーション部１０２が作成した画像情報と印刷結果を説明する説明図である。
【００４２】
Ｎ−Ｕｐ機能設定部１３０１は、Ｎ−Ｕｐ機能の設定パラメータとして、例えば、「なし」、「２」、「４」、「６」、「８」、「９」、「１６」のいずれかを設定することができる。
【００４３】
「なし」は、１ページ分の画像情報を１枚の用紙の片面に印刷することである。
【００４４】
「２」は、２ページ分の画像情報を１枚の用紙の片面に均等に割付けて印刷することである。
【００４５】
「４」は、４ページ分の画像情報を１枚の用紙の片面に均等に割付けて印刷することである。
【００４６】
「６」は、６ページ分の画像情報を１枚の用紙の片面に均等に割付けて印刷することである。
【００４７】
「８」は、８ページ分の画像情報を１枚の用紙の片面に均等に割付けて印刷することである。
【００４８】
「９」は、９ページ分の画像情報を１枚の用紙の片面に均等に割付けて印刷することである。
【００４９】
「１６」は、１６ページ分の画像情報を１枚の用紙の片面に均等割り付けて印刷することである。
【００５０】
Ｄｕｐｌｅｘ機能設定部１３０２は、Ｄｕｐｌｅｘ機能の設定パラメータとして、例えば、「なし」、「長辺とじ」、「短辺とじ」のいずれかを設定することができる。
【００５１】
「なし」は、１ページ分の画像情報を１枚の用紙の片面に印刷することである。
【００５２】
「長辺とじ」は、２ページ分の画像情報を１枚の用紙の表と裏の両面に１ページずつ印刷することである。ここで、「長辺とじ」とは、用紙の長辺を軸にページを見開いたときに、全てのページの画像情報が同じ向きに表示されるように画像が配置されるように印刷することをいう。
【００５３】
「短辺とじ」は、２ページ分の画像情報を１枚の用紙の表と裏の両面に１ページずつ印刷することである。ここで、「短辺とじ」とは、用紙の短辺を軸にページを見開いたときに、全てのページの画像情報が同じ向きに表示されるように画像が配置されるように印刷することをいう。
【００５４】
例えば、図４の「Ｎｏ．１」の例は、Ｎ−Ｕｐ機能の設定パラメータが「なし」であり、Ｄｕｐｌｅｘ機能の設定パラメータが「長辺とじ」である場合を例示する。この場合の印刷結果は、１枚の用紙の表面と裏面のそれぞれに、１ページ分の画像情報が印刷される。これにより、９ページ分の画像情報が５ページ（５枚）の用紙に印刷される。このとき、５ページ目の用紙の表面には９ページ目の画像情報が印刷されるが、その裏面には画像情報が印刷されないことになる。
【００５５】
例えば、図４の「Ｎｏ．２」の例は、Ｎ−Ｕｐ機能の設定パラメータが「４」であり、Ｄｕｐｌｅｘ機能の設定パラメータが「なし」である場合を例示する。この場合の印刷結果は、１枚の用紙の表面だけに、４ページ分の画像情報が４分割されて印刷される。これにより、９ページ分の画像情報が３ページ（３枚）の用紙に印刷される。このとき、３ページ目の用紙においては、４分割された区画領域のうちの１／４区画の領域に、９ページ目の画像情報が印刷されることになる。
【００５６】
例えば、図４の「Ｎｏ．３」の例は、Ｎ−Ｕｐ機能の設定パラメータが「４」であり、Ｄｕｐｌｅｘ機能の設定パラメータが「長辺とじ」の場合を例示する。この場合の印刷結果は、１枚の用紙の表面と裏面のそれぞれが４分割された区画領域を持つことになる。つまり、１枚の用紙の表面には、４ページ分の画像情報が４分割されて印刷され、更に、その裏面にも、４ページ分の画像情報が４分割されて印刷される。これにより、９ページ分の画像情報が２ページ（２枚）の用紙に印刷される。このとき、２ページ目の用紙の表面には、４分割された区画領域のうちの１／４区画の領域に、９ページ目の画像情報が印刷されることになる。
【００５７】
図４に示す印刷結果からも判る通り、アプリケーション部１０２が作成した画像情報のページ数が奇数の場合は、Ｎ−Ｕｐ機能、Ｄｕｐｌｅｘ機能のいずれか又は両方を使用して印刷するとき、用紙媒体の最終ページに必ず余白部が生成されるように画像が配置されることになる。
【００５８】
検知部１３１は、アプリケーション部１０２により作成された画像情報のページ数情報を検知するものである。
【００５９】
また、検知部１３１は、設定部１３０によりＮ−Ｕｐ機能とＤｕｐｌｅｘ機能のいずれか又は両方の設定がなされた場合、割付編集後の画像情報の最終ページのページ数情報を検知する。
【００６０】
表示部１３２は、検知部１３１からページ数情報を取得し、そのページ情報に基づいて、最終ページにおける画像情報の割り当て状態（イメージ状態）をプレビュー表示するものである。すなわち、Ｎ−Ｕｐ機能及びＤｕｐｌｅｘ機能の両方とも「なし」が設定されている場合、表示部１３２は、１枚の印刷媒体に１ページ分の画像情報が割り当てられている状態を表示する。
【００６１】
また、設定部１３０によりＮ−Ｕｐ機能とＤｕｐｌｅｘ機能とのいずれか又は両方が設定された場合、表示部１３２は、ページ数情報、Ｎ−Ｕｐ機能の設定パラメータ、Ｄｕｐｌｅｘ機能の設定パラメータ、データ方向を示す情報とに基づいて、最終ページにおける画像情報の割付け状態をプレビュー表示する。
【００６２】
例えば、印刷設定画面内にプレビュー表示画面を設け、表示部１３２は、そのプレビュー表示画面に最終ページのイメージ状態を表示する。このように、最終ページのイメージ状態を表示することで、ユーザは、最終ページの画像情報の割り当て状態又は割付け状態を確認することができる。すなわち、ユーザは、プレビュー表示を見ることで、最終ページに不要な情報があるか否かを判断することができる。
【００６３】
変換部１３３は、入力装置１０６から印刷実行を示す入力情報を受け取ると、画像情報を印刷データに変換するものである。
【００６４】
また、変換部１３３は、印刷設定画面を通じて、最終ページの削除を示す入力情報を受け取ると、アプリケーション部１０２が作成した画像情報、又は、割付編集後の画像情報のうち最終ページを削除し、削除後の画像情報を印刷データに変換するものである。
【００６５】
（Ａ−１−３）割付編集機能の印刷設定画面の構成の説明
図５は、割付編集機能の設定を行なう設定画面の一例を説明する説明図である。図５において、印刷設定画面２００は、割付編集機能設定部２０１、プレビュー表示画面２０２、警告メッセージ表示部２０３、割付方法選択部２０４、ＯＫボタン２０５、キャンセルボタン２０６を有する。
【００６６】
割付編集機能設定部２０１は、割付編集機能のパラメータを取り込むものであり、Ｎ−Ｕｐ機能のパラメータを設定するＮ−Ｕｐ設定部２０１１と、Ｄｕｐｌｅｘ機能のパラメータを設定するＤｕｐｌｅｘ設定部２０１２とを有する。
【００６７】
例えば、図５の例の場合、Ｎ−Ｕｐ設定部２０１１及びＤｕｐｌｅｘ設定部２０１２は、予め設定可能なパラメータがリストされており、その中から所望のパラメータを選択することができるようになっている。なお、パラメータの入力ができるものであれば、Ｎ−Ｕｐ設定部２０１１及びＤｕｐｌｅｘ設定部２０１２は、リストボックスに限定されることはなく、ラジオボタン方式等の他の設定部としてもよい。
【００６８】
プレビュー表示画面２０２は、表示部１３２から最終ページの画像情報の割り当て状態又は割付け状態を表示するものである。
【００６９】
図５におけるプレビュー表示画面２０２は、図４の「Ｎｏ．３」の場合の最終ページ（すなわち、印刷媒体の２ページ目）の画像情報の割付け状態を表示するときの例である。プレビュー表示画面２０２における矢印は、画像形成装置における用紙排出方向を示している。また、プレビュー表示画面２０２は、最終ページの表面と裏面の両方の状態を表示しており、最終ページの表面を４分割した領域のうち、左上の１／４区画の領域に、９ページ目の画像情報が割付けられている状態を表示する。
【００７０】
なお、図５の例では、１枚の印刷媒体の表面及び裏面の状態を表示する場合を例示しているが、複数枚の印刷媒体の表面及び裏面の状態を表示するようにしてもよい。
【００７１】
また、Ｄｕｐｌｅｘ機能が設定されていない場合、プレビュー表示画面２０２は、印刷媒体の表面のみを表示するようにしてもよい。その場合も、複数の印刷媒体の表面が表示されるようにしてもよい。
【００７２】
さらに、Ｎ−Ｕｐ機能及びＤｕｐｌｅｘ機能の両方が「なし」と設定されている場合には、プレビュー表示画面２０２は、１枚の印刷媒体に１ページ分の画像情報が割り当てられているときの状態を表示する。
【００７３】
警告メッセージ表示部２０３は、割付編集機能が設定されている場合に、最終ページに表面又は裏面に画像情報が割り当てられていない余白があるときに、警告メッセージを表示するものである。図５の例では、例えば「最終ページに空白欄が発生します！」の文字列が表示される。これにより、ユーザに対して注意を促すことができる。
【００７４】
割付方法選択部２０４は、最終ページを削除するか否かを選択するものである。例えば、割付方法選択部２０４は、ラジオボタン方式で最終ページを削除するか否かを選択することができる。
【００７５】
なお、図５の例では、デフォルト設定として「最終ページを保持する」選択ボタンを有する場合を示しているが、「最終ページを削除する」選択ボタンがあれば、「最終ページを保持する」選択ボタンはなくてもよい。
【００７６】
「最終ページを削除する」選択ボタンが選択されると、変換部１３３は、最終ページの画像情報を削除する。そして、検知部１３１は、最終ページの削除後の新たなページ数情報を検知し、表示部１３２は、検知されたページ数情報に基づいて新たな最終ページの状態を表示する。このように、最終ページの削除後も、繰り返し新たな最終ページが表示されることで、ユーザは、新たな最終ページについても削除をするか否かの選択及び操作ができる。
【００７７】
なお、最終ページを削除しない場合、変換部１３３は、画像情報を印刷データに変換して印刷ジョブを生成する。
【００７８】
ＯＫボタン２０５は、印刷実行を示す選択ボタンであり、キャンセルボタン２０６は、印刷処理をキャンセルする選択ボタンである。
【００７９】
（Ａ−１−４）表示部１３２による割付け配置の決定方法について
次に、Ｎ−Ｕｐ機能とＤｕｐｌｅｘ機能のいずれか又は両方が設定された場合に、表示部１３２がプレビュー表示する最終ページの割付け状態の配置を決定する方法を説明する。
【００８０】
表示部１３２は、検知部１３１からのページ数情報と、Ｎ−Ｕｐ機能の設定パラメータと、Ｄｕｐｌｅｘ機能の設定パラメータと、データ方向を示す情報とに基づいて、最終ページの画像情報の割付け状態の配置を求める。
【００８１】
ここで、表示部１３２による最終ページの割付け状態の配置を求める方法は、種々の方法を適用することができる。例えば、表示部１３２が、ページ数情報と、Ｎ−Ｕｐ機能の設定パラメータと、Ｄｕｐｌｅｘ機能の設定パラメータと、データ方向を示す情報とに基づき所定の演算式を用いて求める方法や、また例えば、予め設定した割付配置テーブルを作成しておき、この割付配置テーブルを参照して求める方法を適用することができる。
【００８２】
ここでは、表示部１３２が、割付配置テーブルを参照して求める方法を一例として説明する。
【００８３】
図６は、割付配置テーブルの構成を説明する説明図である。図６において、グレーの領域部分が、画像情報を表示する割付け位置である。
【００８４】
図６に示すように、割付配置テーブルは、データ方向が「ポートレイト（縦置き）」の場合と、「ランドスケープ（横置き）」の場合とに大別することができる。
【００８５】
割付配置テーブルにおける各セルに対応する位置情報は、［Ｒ：Ｎ：Ａ］の３つのパラメータに基づいて参照される。以下に各パラメータの意味を示す。なお、Ｔは、検知部１３１が検知したページ数情報である。
【００８６】
Ｒ：Ｒは、データ方向を示し、ポートレイトの場合「０」とし、ランドスケープの場合「１」とする。
【００８７】
Ｎ：Ｎは、Ｎ−Ｕｐ機能の設定パラメータ（設定値）であり、１，２，４，６，８，９，１６のいずれかの整数値を示す。但し、Ｎ−Ｕｐ機能のパラメータ（設定値）に「なし」が設定されている場合、Ｎ＝１として扱うものとする。
【００８８】
Ａ：Ａは、Ｄ＝０のときは、Ｔ／Ｎで算出される余りの整数値を示す。Ｄ＝１のときは、Ｔ／（２＊Ｎ）で算出される余りの整数値を示す。
【００８９】
ここで、Ｄは、Ｄｕｐｌｅｘ機能の設定パラメータ（設定値）である。Ｄｕｐｌｅｘ機能の設定パラメータが、「なし」のときはＤ＝０であり、「長辺とじ」又は「短辺とじ」のときはＤ＝１とする。
【００９０】
以下では、具体的な割付け位置の参照方法を、３つのケースを例に挙げて説明する。
【００９１】
（例１）例えば、９ページから構成されるポートレイトの画像情報に対して、Ｎ−Ｕｐ機能の設定パラメータ「８」が指定され、Ｄｕｐｌｅｘ機能が設定されていない場合を例示する。この場合、［Ｒ：Ｎ：Ａ］＝［０：８：１］となる。つまり、図６の割付配置テーブルに表記した（１）が最終ページの割付けイメージとして認識される。この場合、表示部１３２は、図５のプレビュー表示画面２０２の「表」欄に、（１）に示すグレーの領域に、９ページ目の画像情報を表示するようにする。本例の場合、Ｄｕｐｌｅｘ設定が指定されていないため、表示部１３２は、プレビュー表示画面２０２の「裏」欄に画像情報を表示しない。
【００９２】
（例２）例えば、１１ページから構成されるポートレイトの画像情報に対して、Ｎ−Ｕｐ機能の設定パラメータが「４」、Ｄｕｐｌｅｘ機能の設定パラメータが「長辺とじ」と指定された場合を例示する。この場合、［Ｒ：Ｎ：Ａ］＝［０：４：３］となる。つまり、図６の割付配置テーブルに表記した（２）が最終ページの割付けイメージとして認識される。この場合、表示部１３２は、図５のプレビュー表示画面２０２の「表」欄に、（２）に示すグレーの領域に、９ページ目、１０ページ目及び１１ページ目の画像情報をそれぞれ表示する。本例の場合、Ｄｕｐｌｅｘ機能の設定が指定されているが、Ａ＝＜Ｎの条件が成り立つ場合、表示部１３２は、プレビュー表示画面２０２の「裏」欄に画像情報を表示しない。
【００９３】
（例３）例えば、１５ページから構成されるポートレイトのデータに対してＮ−Ｕｐ機能の設定パラメータが「４」、Ｄｕｐｌｅｘ機能の設定パラメータが「長辺とじ」と指定された場合を例示する。この場合、［Ｒ：Ｎ：Ａ］＝［０：４：７］となる。
【００９４】
但し、本例の場合、Ａ＞Ｎとなり、最終ページの表面の４区画全てに画像が割り付けられ、裏面に残りの画像と空白ページが割付けられることになる。
【００９５】
従って、Ａ＞Ｎが成立する場合、表示部１３２は、例えば、以下のフローにより割付けイメージを認識する。
【００９６】
１）値Ａをｉ（ｉは任意の整数）に退避する：ｉ＝Ａ
２）Ｎの値をＡに入力する：Ａ＝Ｎ
３）（例３）の場合、［Ｒ：Ｎ：Ａ］＝［０：４：４］として、図６の割付配置テーブルに示される（３）が最終ページの表面への割付けイメージとして認識される。
【００９７】
この場合、表示部１３２は、図５のプレビュー表示画面２０２の「表」欄に、（３）に示すグレーの領域に、９ページ目、１０ページ目、１１ページ目及び１２ページ目の画像情報をそれぞれ表示する。
【００９８】
４）値ｉからＮの値を差し引いた値をＡに入力する：Ａ＝ｉ−Ｎ
５）（例３）の場合、［Ｒ：Ｎ：Ａ］＝［０：４：３］として、図６の割付配置テーブルに示される（２）が最終ページの裏面への割付けイメージとして認識される。
【００９９】
この場合、表示部１３２は、図５のプレビュー表示画面２０２の「裏」欄に、（２）に示すグレーの領域に、１３ページ目、１４ページ目及び１５ページ目の画像情報をそれぞれ表示する。
【０１００】
（Ａ−２）第１の実施形態の動作
図７は、第１の実施形態の割付編集機能が設定開始された場合の画像処理装置１００における画像処理方法の動作を示すフローチャートである。
【０１０１】
まず、ユーザ操作を受けて、アプリケーション部１０２は画像情報を作成する。印刷設定の際、プリンタドライバ部１０４は、例えば図５に例示する印刷設定画面２００をディスプレイ装置１０７に表示する。
【０１０２】
このとき、設定部１３０において、Ｎ−Ｕｐ機能の設定パラメータＮ、Ｄｕｌｐｅｘ機能の設定パラメータＤには、それぞれ事前にデフォルト値が設定されているものとする。例えば、Ｎ−Ｕｐ機能の設定パラメータＮには「１」がデフォルト設定されており、Ｄｕｌｐｅｘ機能の設定パラメータＤには「０」が設定されているものとする。
【０１０３】
ディスプレイ装置１０７に印刷設定画面が表示されると、ユーザは、入力装置１０６を操作して、Ｎ−Ｕｐ機能及びＤｕｌｐｅｘ機能のパラメータを設定することができる。
【０１０４】
Ｎ−Ｕｐ機能又はＤｕｐｌｅｘ機能の設定パラメータが変更されると（Ｓ２００）、検知部１３１は、アプリケーション部１０２から印刷情報を取得し、印刷情報のページ数情報Ｔを取得する（Ｓ２０１）。印刷情報には、ページ数情報に合わせて画像情報、データ方向を示す情報（ポートレイト又はランドスケープ）などが含まれる。
【０１０５】
取得したデータ方向を示す（０：ポートレイト、１：ランドスケープ）をＲにセットする（Ｓ２０２）。
【０１０６】
Ｄｕｐｌｅｘ設定パラメータＤが「０」であり（Ｓ２０３）、且つ、Ｎ−Ｕｐ設定パラメータＮが「１」でない場合（Ｓ２０４）、Ｎ−Ｕｐ機能のみが設定されたことになる。
【０１０７】
この場合、Ｔ／Ｎの余りの整数値Ａが算出され（Ｓ２０５）、Ａが「０」でなければ（Ｓ２０６）、最終ページは余白部が発生する割付けイメージと認識される。そのため、表示部１３２は、図６の割付配置テーブルから［Ｒ：Ｎ：Ａ］の各値から評価される割付け位置を参照し（Ｓ２０７）、対応する割付け位置にのみ画像情報を生成し、プレビュー表示画面２０２の「表」欄にプレビュー表示を行う（Ｓ２０８）。
【０１０８】
一方、Ｄｕｐｌｅｘ設定パラメータＤが「０」でない場合（Ｓ２０３）、且つ、Ｎ−Ｕｐ設定パラメータＮが「１」の場合（Ｓ２０９）、Ｄｕｐｌｅｘ機能のみが設定されたことになる。
【０１０９】
この場合、Ｔ／２の余りの整数値Ａが算出され（Ｓ２１０）、Ａが「０」でなければ（Ｓ２０６）、最終ページは余白部が発生する割付けイメージと認識される。そのため、表示部１３２は、図６の割付配置テーブルから［Ｒ：Ｎ：Ａ］の各値から評価される割付け位置を参照し（Ｓ２０７）、対応する割付け位置にのみ画像情報を生成し、プレビュー表示画面２０２の「表」欄にプレビュー表示を行う（Ｓ２０８）。
【０１１０】
Ｄｕｐｌｅｘ設定値Ｄが「０」でない場合（Ｓ２０３）、且つ、Ｎ−Ｕｐ設定値Ｎが「１」でない場合（Ｓ２０９）、Ｄｕｐｌｅｘ機能及びＮ−Ｕｐ機能が設定されたことになる。この場合、Ｔ／（２＊Ｎ）の余りの整数値Ａが算出される（Ｓ２１１）。
【０１１１】
Ａの値が「０」でない場合（Ｓ２１２）、且つ、ＡがＮ以下の値の場合（Ｓ２１３）、最終ページの裏面は全て余白となり、表面にのみ画像情報が割付けられるものと認識される。そのため、表示部１３２は、図６の割付配置テーブルから［Ｒ：Ｎ：Ａ］の各値から評価される割付け位置を参照し（Ｓ２１４）、対応する割付け位置にのみ画像情報を生成し、プレビュー表示画面２０２の「表」欄にプレビュー表示を行う（Ｓ２１５）。
【０１１２】
一方、Ａの値が「０」でない場合（Ｓ２１２）、且つ、ＡがＮより大きい値の場合（Ｓ２１３）、最終ページの表面は余白部が発生しないと判断される。この場合、表示部１３２は、Ａの値をｉ（整数値）に退避させ（Ｓ２１６）、ＡにＮの値を入力（Ｓ２１７）する。そして、表示部１３２は、図６の割付配置テーブルから［Ｒ：Ｎ：Ａ］の各値から評価される割付け位置を参照し（Ｓ２１８）、対応する割付け位置に画像情報を生成し、プレビュー表示画面２０２の「表」欄にプレビュー表示を行う（Ｓ２１９）。
【０１１３】
このとき、最終ページの表面に余白部が発生せず、全ての割付け領域に画像が表示される。更にｉ−Ｎの値をＡに入力（Ｓ２２０）することにより、Ａは最終ページの裏面に割付けられる画像の数を示すことになる。従って、表示部１３２は、再度、図６の割付配置テーブルから［Ｒ：Ｎ：Ａ］の各値から評価される割付け位置を参照し（Ｓ２２１）、対応する割付け位置にのみ画像を生成し、プレビュー表示画面２０２の「裏」欄にプレビュー表示を行う（Ｓ２２２）。
【０１１４】
ユーザは、プレビュー表示画面２０２に表示される最終ページの状態を確認することができる。そして、ユーザが印刷に必要のない画像情報である判断した場合、ユーザは「最終ページを削除する」選択ボタンを選択し、そうでない場合、印刷ボタン２０６を選択する。
【０１１５】
最終ページを削除する選択ボタンが選択された場合（Ｓ２３１）、変換部１３３は最終ページを削除し（Ｓ２３２）、処理はＳ２００に移行する。
【０１１６】
このとき、変換部１３３による最終ページが削除されることで、アプリケーション部１０２が作成した画像情報のページ枚数が変更される。
【０１１７】
例えば、図４の「Ｎｏ．３」の場合を例にとって説明すると、プレビュー表示画面２０２に表示される当初の最終ページは、２ページ目の表面及び裏面が表示される。しかし、最終ページである２ページ目が削除されると、その２ページ目に表示されている画像情報「９」が削除されるから、画像情報のページ数情報Ｔは、当初の「９」から「８」に変更されることになる。このように、最終ページの削除により、最終ページに表示される画像情報の数を差し引いくことで、ページ数情報Ｔが変更する。その後の処理は、Ｓ２００〜Ｓ２２２で示す処理と同じ動作が行われる。
【０１１８】
このように、ページ数情報Ｔが変更されて、再度割付編集がなされると、プレビュー表示画面２０２には、新たな最終ページが表示される。すなわち、図４の「Ｎｏ．３」の例の場合、当初の２ページ目が削除されるので、１ページ目の表面と裏面が新たな最終ページとしてプレビュー表示画面２０２に表示される。
【０１１９】
一方、最終ページを削除する選択ボタンが選択されず（Ｓ２３１）、かつ、ＯＫボタン２０５が選択されると（Ｓ２２３）、図５の印刷設定画面にて設定された各設定パラメータがハードディスク１０１に保存される（Ｓ２２４）。
【０１２０】
そして、アプリケーション部１０２から印刷指示がかかると（Ｓ２２５）、プリンタドライバ部１０４は、ハードディスク１０１に保存された各設定パラメータに基づいて印刷ジョブを作成する（Ｓ２２６）。
【０１２１】
ここで、プリンタドライバ部１０４により印刷ジョブの生成について、割付け方法が「最終ページを保持する」の場合、プリンタドライバ部１０４は、アプリケーション部１０２により生成された全てのページの印刷ジョブを生成する。一方、割付け方法が「最終ページを削除する」の場合、プリンタドライバ部１０４は、アプリケーション部１０２で生成された全てのページから印刷最終ページに割付けられている画像情報を全て削除した印刷ジョブを生成する。
【０１２２】
生成された印刷ジョブは、通信部１０５を経由して画像形成装置に送信され（Ｓ２２７）、画像形成装置において印刷がなされる。
【０１２３】
（Ａ−３）第１の実施形態の効果
以上のように、第１の実施形態によれば、最終ページのイメージ状態を表示できるので、最終ページに不要な情報のみが表示されている場合には、最終ページを削除することができる。
【０１２４】
また、第１の実施形態によれば、Ｄｕｐｌｅｘ機能やＮ−Ｕｐ機能といった割付編集機能を使用した場合にも、最終ページのイメージ状態が表示されるので、ユーザは一目で確認できる。その結果、ユーザは、印刷すべきか否かの判断をした上で印刷指示を出すことができるため、最終ページに割付けられる不必要なデータの印刷を制限できる。
【０１２５】
（Ｂ）第２の実施形態
次に、本発明の画像処理装置、画像処理方法及び画像処理プログラムの第２の実施形態を、図面を参照しながら詳細に説明する。
【０１２６】
第２の実施形態は、画像情報を読み取る画像読み取り装置を構成するスキャナに、本発明を適用した場合の実施形態を例示する。
【０１２７】
（Ｂ−１）第２の実施形態の構成
（Ｂ−１−１）全体構成
図８は、第２の実施形態の画像読み取り装置の概ねの構成を示す構成図である。図８において、第２の実施形態の画像読み取り装置５００は、スキャナ３００と、画像形成装置４００とを有する。
【０１２８】
スキャナ３００は、原稿に記録されている画像を読み取り、その画像情報を画像形成装置４００に与えるものである。また、スキャナ３００は、読み取った画像情報に基づいて画像処理を行なう画像処理装置３５０を有する。
【０１２９】
画像形成装置４００は、スキャナ３００からの画像情報に基づいて画像形成を行なうものである。画像形成装置４００は、例えば、プリンタ等を適用することができる。
【０１３０】
図９及び図１０は、第２の実施形態のスキャナ３００の外観を示す外観斜視図である。なお、第２の実施形態では、スキャナ３００が、自動給紙（ＡＤＦ：Auto  Document  Feeder）方式及びフラットベッド（ＦＢ：Flat  Bed）方式を併用するスキャナを適用する場合を例示する。
【０１３１】
図９において、画像処理装置であるスキャナ３００は、原稿３０１を設置する用紙トレイ３０２と、原稿３０１を搬送しながら原稿３０１に記録されている画像を読み取るＡＤＦユニット３０３と、画像読み取り条件を設定したり、読み取った画像情報を表示したり、読み取った画像情報を画像形成装置に送信する必要なデータに変換するための設定をしたりするＧＵＩ（Graphical  User  Interface）部３０４と、原稿読み取りを開始する読取りスタートボタン３０５と、原稿台に置かれた原稿の画像を読み取るＦＢユニット３０６と、を有する。
【０１３２】
図１０において、ＦＢユニット３０６は、原稿３０１を置くための原稿台３０７と、原稿台３０７に置かれた原稿３０１に記憶されている画像を下部から読み取るＦＢ用読み取りユニット３０８と、ＦＢ用読み取りユニット３０８を搬送するＦＢ用搬送ユニット３０９とを有する。
【０１３３】
図１１は、第２の実施形態のスキャナ３００の左側部からスキャナ３００の内部を透視して見たときの、ＡＤＦユニット３０３の内部構成を示す内部構成図である。
【０１３４】
図１１において、ＡＤＦユニット３０３は、少なくとも、ピックアップローラ３１０、排出ローラ３１１、ＡＤＦ用読み取りユニット３１２、用紙位置センサ３１３を有する。
【０１３５】
用紙トレイ３０２にセットされた原稿３０１は、ピックアップローラ３１０によりＡＤＦユニット３０３内部に搬送される。そして、ＡＤＦ用読み取りユニット３１２は、搬送された原稿３０１の画像を読み取り、排出ローラ３１１によってＡＤＦユニット３０３の外に原稿を排出する。ＡＤＦユニット３０３は、用紙位置センサ３１３を配備しており、用紙位置センサ３１３が内部に搬送された用紙を検知することで、ＡＤＦユニット３０３は用紙の先頭位置を把握する。
【０１３６】
ＡＤＦ用読み取りユニット３１２は、少なくとも、光源、ＣＣＤイメージセンサ、レンズにより構成されている。光源が原稿３０１である用紙に光を当て、ＣＣＤイメージセンサが反射光量を測定することで、ＡＤＦ読み取りユニット３１２は原稿３０１に記録されている画像の画像情報を生成するものである。
【０１３７】
ＦＢユニット３０６の構成の詳細な説明は既に説明していたので省略する。
【０１３８】
（Ｂ−１−２）画像処理装置３５０の機能構成
図１２は、第２の実施形態のスキャナ３００が備える画像処理装置３５０の機能を説明するブロック図である。
【０１３９】
図１２において、画像処理装置３５０は、制御部３２０、ＧＵＩ部３２１、読取り部３２２、記憶部２２３を有する。
【０１４０】
ここで、画像処理装置３５０は、ハードウェアとして、例えば、ＣＰＵ、ＲＡＭ等の揮発性記憶手段、ＲＯＭ、ＥＥＰＲＯＭ、ハードディスク等の不揮発性記憶手段等を有して構成されるものである。また、画像処理装置３５０の機能は、例えば、ＣＰＵが、ＲＯＭに格納されている固定データやＲＡＭに格納されているテンポラリデータを用いて、ＲＯＭに格納されている処理プログラムを実行することで実現される。
【０１４１】
制御部３２０は、スキャナ３００全体の機能を司る制御手段である。制御部３２０は、ＧＵＩ分３２１、読取り部３２２、記憶部２２３との間で発生する各種情報のやり取りをしたり、記憶部２２３に記憶された画像情報を画像形成装置４００に通知したりする。
【０１４２】
ＧＵＩ部３２１は、スキャナ３００の画像読み取り条件や画像処理の設定条件を設定するものである。ＧＵＩ部３２１は、例えば、スキャナ３００のＧＵＩ部３０４に設定入力画面を表示し、ユーザ操作による入力情報を取り込み、その入力情報に基づいて画像読み取り条件や画像処理の設定条件を取得するようにしてもよい。
【０１４３】
読取り部３２２は、読取りスタートボタン３０５が押下されたタイミングで、ＧＵＩ部３２１で設定された設定パラメータに基づいて、原稿３０１を読み取り、読み取った画像情報を記憶部３２３に保存するものである。
【０１４４】
記憶部３２３は、読取り部３２２により読み取られた画像情報を記憶するものである。また、記憶部３２３は、制御部３２０からの指示を受けると、記憶している画像情報を画像形成装置４００に与えるものである。
【０１４５】
図１３は、第２の実施形態のＧＵＩ部３２１の機能を示す機能ブロック図である。図１３において、ＧＵＩ部３２１は、設定部３３０、検知部３３１、表示部３３２、変換部３３３を有する。
【０１４６】
設定部３３０は、入力情報に基づいて、スキャナ３００の画像読み取り条件や画像処理の設定条件を設定するものである。例えば、設定部３３０は、ＧＵＩ部３０４の設定入力画面を通じて入力情報を取得し、その入力情報に基づいて各種条件を設定する。また、設定部３３０は、例えば、Ｎ−Ｕｐ機能及びＤｕｐｌｅｘ機能といった割付編集機能の設定を行なうものである。
【０１４７】
また、設定部３３０は、画像読み取りの対象とする原稿３０１のページ数を取得し、その取得したページ数情報を検知部３３１に与えるものである。
【０１４８】
検知部３３１は、原稿３０１のページ数情報を検知するものである。検知部３３１は、設定部３３０が原稿３０１のページ数情報を取得した場合には、設定部３３０からページ数情報を受け取るようにしてもよい。また、検知部３３１が、搬入される原稿３０１の枚数を検知するようにしてもよい。
【０１４９】
ここで、ページ数情報の取得又は検知方法を説明する。ページ数情報の取得又は検知方法は、例えば、設定部３３０が、ＧＵＩ部３０４の設定入力画面を通じて、ユーザ入力によりページ数を取得する方法や、また例えば、検知部３３１が、用紙トレイ３０２から搬入した原稿３０１のページ数をカウントするカウンタを備え、このカウンタのカウンタ値に基づいてページ数を取得する方法等を適用することができる。
【０１５０】
表示部３３２は、設定部３３０においてＮ−Ｕｐ機能とＤｕｐｌｅｘ機能のいずれか又は両方の設定がされた場合に、Ｎ−Ｕｐ機能の設定パラメータと、Ｄｕｐｌｅｘ機能の設定パラメータと、検知部３３１が検知した原稿３０１のページ数情報とに基づいて、最終ページに対するデータの割付け状態を簡易イメージでプレビュー表示する。
【０１５１】
このプレビュー表示により、ユーザが印刷すべき情報であるか否かが判断可能となる。また、第１の実施形態と同様に、第２の実施形態の入力設定画面は、最終ページを削除するか否かの選択ボタンを有し、ユーザは表示部３３２のプレビュー表示を確認しながら最終ページの印刷可否を設定することができる。
【０１５２】
変換部３３３は、設定部３３０にて最終ページを保持することが選択された場合、読取りスタートボタン３０５が押下されタイミングで、全ての原稿３０１から画像情報を読み取る。また、変換部３３３は、全ての画像情報の読み取りが終了すると、全ての画像情報を記憶部２２３に保存したことを読取り部３２２に通知するものである。
【０１５３】
また、変換部３３３は、最終ページを削除することが選択された場合は、読取りスタートボタン３０５が押下されタイミングで、全ての原稿３０１から画像情報を読み取るが、最終ページを構成する原稿以外の画像情報のみ記憶部２２３に保存する。そして、変換部３３３は、最終ページ以外の画像情報のみを記憶部２２３に保存したことを読取り部３２２に通知する。
【０１５４】
このように、変換部３３３は、設定部３３０の設定条件に基づく読み取り方法で画像情報を読み取った旨を読取り部３２２に通知することにより、記憶部２２３に保存する画像情報を制御する。
【０１５５】
（Ｂ−１−３）入力設定画面の構成の説明
以下では、ＧＵＩ部３２１により表示される入力設定画面の構成について、図１４〜図１７を用いて説明する。
【０１５６】
図１４及び図１５は、ＧＵＩ部３２１の設定入力画面の第１例を説明する説明図である。
【０１５７】
図１４及び図１５は、ユーザ操作により原稿のページ数を取り込むときの設定入力画面の例である。例えば、ユーザが原稿枚数を予め認識している場合に適用することができる。特に、ＦＢ方式のように原稿台３０７に置かれた原稿３０１の画像情報を読み取る場合に有効である。
【０１５８】
図１４及び図１５において、設定入力画面６００Ａは、Ｎ−Ｕｐ設定部６０１、Ｄｕｐｌｅｘ設定部６０２、原稿枚数入力部６０３、プレビュー表示画面６０４、警告メッセージ表示部６０５、割付方法選択部６０６を有する。
【０１５９】
原稿枚数入力部６０３は、ユーザにより入力された原稿３０１の枚数を取り込むものである。
【０１６０】
図１４において、Ｎ−Ｕｐ設定部６０１は「なし」が選択され、Ｄｕｐｌｅｘ設定部６０２は「なし」が選択されている。この場合、Ｎ−Ｕｐ機能及びＤｕｐｌｅｘ機能はいずれも設定されていないので、表示部３３２は、最終ページの割付け状態をプレビュー表示しない。
【０１６１】
なお、図１４では、この場合、Ｎ−Ｕｐ機能及びＤｕｐｌｅｘ機能はいずれも設定されていない場合には、最終ページを表示しない場合を例示するが、割付編集処理がなされていない場合でも、表示部３３２は最終ページの状態を表示するようにしてもよい。
【０１６２】
図１５において、Ｎ−Ｕｐ設定部６０１は「４（Ｕｐ）」が選択され、Ｄｕｐｌｅｘ設定部６０２は「長辺とじ」が選択されている。この場合、表示部３３２は、Ｎ−Ｕｐ機能の設定パラメータ、Ｄｕｐｌｅｘ機能の設定パラメータ、及び、原稿のページ数情報に基づいて、最終ページの割付け状態をプレビュー表示画面６０４に表示する。
【０１６３】
このとき、最終ページに空白欄が生成される場合には、表示部３３２は、警告メッセージを警告メッセージ表示部６０５に表示する。
【０１６４】
割付方法選択部６０６は、プレビュー表示画面６０４に表示された最終ページを削除するか否かを選択するものである。
【０１６５】
次に、図１６及び図１７は、ＧＵＩ部３２１の設定入力画面の第２例を説明する説明図である。
【０１６６】
図１６及び図１７は、例えば設定部３３０がカウントした原稿３０１のページ数情報を表示するものである。例えば、原稿枚数が多い場合に適用することができる。特にＡＤＦ方式のように、用紙トレイ３０２にセットされた原稿３０１が搬送されて画像情報を読み取る場合に有効である。
【０１６７】
図１６及び図１７は、設定入力画面６００Ｂは、Ｎ−Ｕｐ設定部６０１、Ｄｕｐｌｅｘ設定部６０２、読取り開始ボタン６０７、プレビュー表示画面６０４、警告メッセージ表示部６０５、割付方法選択部６０６を有する。
【０１６８】
読取り開始ボタン６０７は、用紙トレイ６０２にセットされている原稿３０１の搬入を開始するボタンである。この読取り開始ボタン６０７が押下されると、設定部３３０が内部に搬入された原稿用紙のカウントを開始する。
【０１６９】
図１６において、Ｎ−Ｕｐ設定部６０１は「なし」が選択され、Ｄｕｐｌｅｘ設定部６０２は「なし」が選択されている。この場合、Ｎ−Ｕｐ機能及びＤｕｐｌｅｘ機能はいずれも設定されていないので、表示部３３２は、最終ページの割付け状態をプレビュー表示しない。
【０１７０】
なお、図１６では、この場合、Ｎ−Ｕｐ機能及びＤｕｐｌｅｘ機能はいずれも設定されていない場合には、最終ページを表示しない場合を例示するが、割付編集処理がなされていない場合でも、表示部３３２は最終ページの状態を表示するようにしてもよい。
【０１７１】
図１７において、Ｎ−Ｕｐ設定部６０１は「４（Ｕｐ）」が選択され、Ｄｕｐｌｅｘ設定部６０２は「長辺とじ」が選択されている。
【０１７２】
この場合、読取り開始ボタン６０７が押下されると、用紙トレイ３０２にセットされている全ての原稿が読み取られる。このとき、検知部３３１は、搬入された原稿３０１の枚数をカウントして、ページ数情報を検知する。
【０１７３】
また、表示部３３２は、Ｎ−Ｕｐ機能の設定パラメータ、Ｄｕｐｌｅｘ機能の設定パラメータ、及び、原稿のページ数情報に基づいて、最終ページの割付け状態をプレビュー表示画面６０４に表示する。
【０１７４】
さらに、最終ページに空白欄が生成される場合には、表示部３３２は、警告メッセージを警告メッセージ表示部６０５に表示する。
【０１７５】
このように、図１４及び図１５の設定入力画面６００Ａは、ユーザが原稿枚数を認識しており、ユーザが原稿枚数を入力する場合に、最終ページの割付け状態を表示する。これに対して、図１６及び図１７は、読取り開始ボタン６０７が押下され、検知部３３１が用紙トレイ３０２から読み取られた原稿枚数をカウントする場合に、最終ページの割付け状態を表示する。
【０１７６】
なお、ＧＵＩ部３２１が、最終ページの割付け配置を決定する方法は、第１の実施形態と同様であり説明が重複するので、ここでの詳細な説明は省略する。
【０１７７】
（Ｂ−２）第２の実施形態の動作
図１８は、第２の実施形態の割付編集機能が設定開始された場合の画像処理装置３５０における画像処理方法の動作を示すフローチャートである。
【０１７８】
以下では、ユーザが予め原稿枚数を認識している場合であり、データ方向がポートレイト（すなわち、Ｒ＝１）に設定されている場合を例示する。なお、データ方向は、例えば、ユーザがＧＵＩ部３０４に表示される画像処理の設定条件を入力することで設定することができる。
【０１７９】
まず、ユーザは、用紙トレイ３０２に原稿３０１をセットする。ＧＵＩ部３０４には、設定入力画面１００Ａが表示され、ユーザは、設定入力画面１００Ａに設定パラメータを入力することができる。
【０１８０】
このとき、設定部３３０において、Ｎ−Ｕｐ機能の設定パラメータＮ、Ｄｕｌｐｅｘ機能の設定パラメータＤには、それぞれ事前にデフォルト値が設定されているものとする。例えば、Ｎ−Ｕｐ機能の設定パラメータＮには「１」がデフォルト設定されており、Ｄｕｌｐｅｘ機能の設定パラメータＤには「０」が設定されているものとする。
【０１８１】
Ｎ−Ｕｐ機能又はＤｕｐｌｅｘ機能の設定パラメータが変更され（Ｓ４００）、原稿枚数が入力されると、検知部３３１は、入力された原稿枚数をページ数情報Ｔとして取得する（Ｓ４０１）。また、ここでは、データ方向がポートレイトに設定されているから、Ｒ＝１が設定される（Ｓ４０２）。
【０１８２】
そして、原稿が３０１が、用紙トレイ３０２にセットされると、用紙トレイ３０２から原稿３０１の読み取り処理が開始する。
【０１８３】
これ以降のＳ４０３〜Ｓ４２２の処理は、図７のＳ２０３〜Ｓ２２２の処理と同様である。
【０１８４】
Ｄｕｐｌｅｘ設定パラメータＤが「０」であり（Ｓ４０３）、且つ、Ｎ−Ｕｐ設定パラメータＮが「１」でない場合（Ｓ４０４）、Ｎ−Ｕｐ機能のみが設定されたことになる。
【０１８５】
この場合、Ｔ／Ｎの余りの整数値Ａが算出され（Ｓ４０５）、Ａが「０」でなければ（Ｓ４０６）、最終ページは余白部が発生する割付けイメージと認識される。そのため、表示部３３２は、図６の割付配置テーブルから［Ｒ：Ｎ：Ａ］の各値から評価される割付け位置を参照し（Ｓ４０７）、対応する割付け位置にのみ画像情報を生成し、プレビュー表示画面６０４の「表」欄にプレビュー表示を行う（Ｓ４０８）。
【０１８６】
一方、Ｄｕｐｌｅｘ設定パラメータＤが「０」でない場合（Ｓ４０３）、且つ、Ｎ−Ｕｐ設定パラメータＮが「１」の場合（Ｓ４０９）、Ｄｕｐｌｅｘ機能のみが設定されたことになる。
【０１８７】
この場合、Ｔ／２の余りの整数値Ａが算出され（Ｓ４１０）、Ａが「０」でなければ（Ｓ４０６）、最終ページは余白部が発生する割付けイメージと認識される。そのため、表示部３３２は、図６の割付配置テーブルから［Ｒ：Ｎ：Ａ］の各値から評価される割付け位置を参照し（Ｓ４０７）、対応する割付け位置にのみ画像情報を生成し、プレビュー表示画面６０４の「表」欄にプレビュー表示を行う（Ｓ４０８）。
【０１８８】
Ｄｕｐｌｅｘ設定値Ｄが「０」でない場合（Ｓ４０３）、且つ、Ｎ−Ｕｐ設定値Ｎが「１」でない場合（Ｓ４０９）、Ｄｕｐｌｅｘ機能及びＮ−Ｕｐ機能が設定されたことになる。この場合、Ｔ／（２＊Ｎ）の余りの整数値Ａが算出される（Ｓ４１１）。
【０１８９】
Ａの値が「０」でない場合（Ｓ４１２）、且つ、ＡがＮ以下の値の場合（Ｓ４１３）、最終ページの裏面は全て余白となり、表面にのみ画像情報が割付けられるものと認識される。そのため、表示部３３２は、図６の割付配置テーブルから［Ｒ：Ｎ：Ａ］の各値から評価される割付け位置を参照し（Ｓ４１４）、対応する割付け位置にのみ画像情報を生成し、プレビュー表示画面６０４の「表」欄にプレビュー表示を行う（Ｓ４１５）。
【０１９０】
一方、Ａの値が「０」でない場合（Ｓ４１２）、且つ、ＡがＮより大きい値の場合（Ｓ４１３）、最終ページの表面は余白部が発生しないと判断される。この場合、表示部３３２は、Ａの値をｉ（整数値）に退避させ（Ｓ４１６）、ＡにＮの値を入力（Ｓ４１７）する。そして、表示部３３２は、図６の割付配置テーブルから［Ｒ：Ｎ：Ａ］の各値から評価される割付け位置を参照し（Ｓ４１８）、対応する割付け位置に画像情報を生成し、プレビュー表示画面６０４の「表」欄にプレビュー表示を行う（Ｓ４１９）。
【０１９１】
このとき、最終ページの表面に余白部が発生せず、全ての割付け領域に画像が表示される。更にｉ−Ｎの値をＡに入力（Ｓ４２０）することにより、Ａは最終ページの裏面に割付けられる画像の数を示すことになる。従って、表示部４３２は、再度、図６の割付配置テーブルから［Ｒ：Ｎ：Ａ］の各値から評価される割付け位置を参照し（Ｓ４２１）、対応する割付け位置にのみ画像を生成し、プレビュー表示画面６０４の「裏」欄にプレビュー表示を行う（Ｓ４２２）。
【０１９２】
ユーザは、プレビュー表示画面６０４に表示される最終ページの状態を確認することができる。そして、ユーザが印刷に必要のない画像情報である判断した場合、ユーザは「最終ページを削除する」選択ボタンを選択することができる。
【０１９３】
最終ページを削除する選択ボタンが選択された場合（Ｓ４３１）、変換部３３３は最終ページを削除し（Ｓ４３２）、処理はＳ４００に移行する。
【０１９４】
このとき、変換部３３３による最終ページが削除されることで、第１の実施形態と同様に、検知部３３１の検知する原稿３０１のページ枚数Ｔが変更される。このように、ページ数情報Ｔが変更されて再度割付編集がなされると、第１の実施形態と同様に、プレビュー表示画面６０４には、新たな最終ページが表示される。
【０１９５】
その後、読取りスタートボタン３０５が押下されると（Ｓ４２４）、変換部３３３は、設定部３３０で設定された割付け方法情報を読取り部３２２に対して通知する（Ｓ４２４）。そして、読取り部３２２は、通知された割付け方法を示す情報にも基づいて読取りを開始する（Ｓ４２４）。
【０１９６】
ここで、割付方法選択部６０６に「最終ページを保持する」が設定されていた場合は、読取り部３２２は、用紙トレイ３０２にセットされた全ての原稿の画像情報を読み取り、記憶部２２３に記憶する（Ｓ４２４）。
【０１９７】
一方、割付方法選択部６０６に「最終ページを削除する」が設定されていた場合は、読取り部３２２は、用紙トレイ３０２にセットされた全ての原稿の画像情報を読み取り、最終ページ割付けイメージで表示された画像以外の全ての画像を記憶部２２３に記憶する（Ｓ４２４）。
【０１９８】
記憶部２２３に保持された画像情報は、印刷ジョブとして画像形成装置４００に通知され（Ｓ４２５）、画像形成装置４００が印刷する。
【０１９９】
（Ｂ−３）第２の実施形態の効果
以上のように、第２の実施形態によれば、ＧＵＩ部に原稿枚数入力部、又は自動で原稿枚数を読み取る「読取り開始ボタン」を付加することにより、スキャナのような画像読取り装置においても、画像形成装置に印刷データを通知する前に印刷最終ページのプレビュー情報を確認し、印刷に必要な情報か否かを確認した上で読取り開始を行うことができる。その結果、最終ページに割付けられる不必要なデータの印刷を制限できる。
【０２００】
（Ｃ）他の実施形態
上述した第１及び第２の実施形態のように、本発明は割付編集機能を持つ画像処理装置であれば、上位ＰＣ側で制御するプリンタドライバやツール、および画像形成装置に物理的に直接接続されたスキャナなどにも適用可能である。
【０２０１】
上述した第１及び第２の実施形態では、プレビュー表示画面に、最終ページのイメージ状態を表示する場合を主に説明した。しかし、プレビュー表示画面は、最終ページ及び最終ページを含め終わりから複数ページのイメージ状態を表示するようにしてもよい。すなわち、プレビュー表示画面は、複数のページのイメージ状態を表示するようにしてもよい。
【０２０２】
この場合、表示されているページのイメージ状態から、複数のページを同時に削除できるようにしてもよい。例えば、削除するページを選択できるようにしてもよいし、表示されているページを一括削除できるようにしてもよい。
【符号の説明】
【０２０３】
１００及び３５０…画像処理装置、
１０２…アプリケーション部、１０４…プリンタドライバ部、
１３０及び３３０…設定部、１３１及び３３１…検知部、
１３２及び３３２…表示部、１３３及び３３３…変換部、
３２０…制御部、３２１…ＧＵＩ部、３２２…読取り部、３２３…記憶部、
１３０１及び３３０１…Ｎ-Ｕｐ機能設定部、
１３０２及び３３０２…Ｄｕｐｌｅｘ機能設定部。
【図１】
2013122650.tif 000003
【図２】
2013122650.tif 000004
【図３】
2013122650.tif 000005
【図４】
2013122650.tif 000006
【図５】
2013122650.tif 000007
【図６】
2013122650.tif 000008
【図７】
2013122650.tif 000009
【図８】
2013122650.tif 000010
【図９】
2013122650.tif 000011
【図１０】
2013122650.tif 000012
【図１１】
2013122650.tif 000013
【図１２】
2013122650.tif 000014
【図１３】
2013122650.tif 000015
【図１４】
2013122650.tif 000016
【図１５】
2013122650.tif 000017
【図１６】
2013122650.tif 000018
【図１７】
2013122650.tif 000019
【図１８】
2013122650.tif 000020